【手続補正書】
【提出日】平成20年1月11日(2008.1.11)
【手続補正１】
【補正対象書類名】特許請求の範囲
【補正対象項目名】全文
【補正方法】変更
【補正の内容】
【特許請求の範囲】
【請求項１】
利用者の操作に基づいて取引を行う自動取引システムにおいて、
情報記憶媒体の情報を読み取る情報記憶媒体読取部と、
第１生体情報読取部に対し、利用者の第１の生体情報を取得させる第１生体情報読取命令部と、
第２生体情報読取部に対し、利用者の第２の生体情報を取得させる第２生体情報読取命令部と、
前記情報記憶媒体読取部により読み取った前記情報記憶媒体に２つの生体情報が記憶されていた場合に、どちらの生体情報で認証処理を実施するかの選択をさせる旨の案内を出力する案内出力部と、
当該案内に対応する選択入力を検知する入力部と、
前記入力部により第１の生体情報が選択入力された場合に、前記第１生体情報読取部により取得された第１の生体情報を生体情報照合部へ送信する第１生体情報送信部と、
第１の生体情報に関する照合結果を前記生体情報照合部から受信する第１生体情報照合結果受信部と、
前記入力部により第２の生体情報が選択入力された場合に、前記第２生体情報読取部により取得された第２の生体情報を前記生体情報照合部へ送信する第２生体情報送信部と、
第２の生体情報に関する照合結果を前記生体情報照合部から受信する第２生体情報照合結果受信部と、
を有する。
【請求項２】
利用者の所望の取引を行う自動取引システムにおいて、
情報記憶媒体の情報を読み取る情報記憶媒体読取部と、
第１生体情報読取部に対し、利用者の第１の生体情報を取得させる第１生体情報読取命令部と、
第２生体情報読取部に対し、利用者の第２の生体情報を取得させる第２生体情報読取命令部と、
予め登録された優先順位に基づいて、第１の生体情報と第２の生体情報の中から、先に照合処理を実施する生体情報を決定する先照合生体情報決定部と、
前記先照合生体情報決定部により決定された先に照合処理を実施する生体情報が第１の生体情報であった場合に、前記第１生体情報読取部により取得された第１の生体情報を生体情報照合部へ送信する第１生体情報送信部と、
第１の生体情報に関する照合結果を前記生体情報照合部から受信する第１生体情報照合結果受信部と、
前記先照合生体情報決定部により決定された先に照合処理を実施する生体情報が第２の生体情報であった場合に、前記第２生体情報読取部により取得された第２の生体情報を前記生体情報照合部へ送信する第２生体情報送信部と、
第２の生体情報に関する照合結果を前記生体情報照合部から受信する第２生体情報照合結果受信部と、
を有する。
【請求項３】
所定の取引を行う自動取引システムにおいて、
情報記憶媒体の情報を読み取る情報記憶媒体読取部と、
第１生体情報読取部に対し、利用者の第１の生体情報を取得させる第１生体情報読取命令部と、
第２生体情報読取部に対し、利用者の第２の生体情報を取得させる第２生体情報読取命令部と、
利用者に対し第１の生体情報又は第２の生体情報を用いた認証操作の案内を出力する案内出力部と、
生体が前記第１生体情報読取部または前記第２生体情報読取部の読取可能な位置に出現したことを検知する生体出現検知部と、
前記案内出力部の前記認証操作の案内の前に、前記生体出現検知部により前記第１生体情報読取部への生体の出現を検知した場合、第１の生体情報での認証を決定し、かつ、前記案内出力部の前記認証操作の案内の前に、前記生体出現検知部により前記第２生体情報読取部への生体の出現を検知した場合、第２の生体情報での認証を決定する先照合生体情報決定部と、
を有する。
【請求項４】
請求項１乃至３記載の自動取引システムにおいて、
前記第２生体情報照合結果受信部で照合結果を受信するより先に前記第１生体情報照合結果受信部で照合不一致を示す照合結果を受信した場合、前記案内出力部は第２の生体情報の取得を案内し、かつ、前記第２生体情報送信部は取得した第２の生体情報を前記生体情報照合部へ送信し、
前記第１生体情報照合結果受信部で照合結果を受信するより先に前記第２生体情報照合結果受信部で照合不一致を示す照合結果を受信した場合、前記案内出力部は第１の生体情報の取得を案内し、かつ、前記第１生体情報送信部は取得した第１の生体情報を前記生体情報照合部へ送信する。
【請求項５】
顧客の操作に基づいて取引を行う自動取引システムにおいて、
情報記憶媒体の情報を読み取る情報記憶媒体読取部と、
生体情報読取部に対し、顧客の生体情報を取得させる生体情報読取命令部と、
前記自動取引システムに接続されている生体情報読取部が対応している生体情報の種類を認識する生体情報種類認識部と、
前記生体情報読取部により取得した生体情報を生体情報照合部へ送信する生体情報送信部と、
生体情報に関する照合結果を前記生体情報照合部から受信する生体情報照合結果受信部と、
を有する。
【請求項６】
請求項１乃至５記載の自動取引システムにおいて、
入出金を行う入出金機構部と、
前記生体情報照合結果受信部または前記第１生体情報照合結果受信部または前記第２生体情報照合結果受信部により受信した前記照合結果が成功であった場合に、前記入出金機構部から出金する入出金命令部と、
を有する。
【請求項７】
請求項１乃至６記載の自動取引システムにおいて、
前記生体情報照合部は、前記情報記憶媒体に含まれている。
【請求項８】
貨幣の取引を行う自動取引装置が実行する自動取引方法において、
利用者から取引の選択入力を受け付けるステップと、
カードの情報を読み取るステップと、
前記自動取引装置を利用する利用者の指静脈情報、または掌静脈情報を取得するステップと、
入力部により選択入力された取引が何であるかを認識するステップと、
カード読取部により読み取った前記カードに指静脈情報及び掌静脈情報が記憶されているかを判断するステップと、
指静脈情報及び掌静脈情報が記憶されていた場合に、どちらの生体情報で認証処理を実施するかの選択をする旨の案内を出力するステップと、
前記案内に基づく選択入力を検知すると、前記生体情報照合部により、
指静脈情報が選択されたときには指静脈情報読取部により取得した指静脈情報と予め前記カードに記憶されていた指静脈情報との照合処理を実施するステップと、
掌静脈情報が選択されたときには掌静脈情報読取部により取得した掌静脈情報と予め前記カードに記憶されていた掌静脈情報との照合処理を実施するステップと、
指静脈情報及び掌静脈情報のうちいずれか１つの生体情報が記憶されていた場合に、その生体情報は指静脈情報と掌静脈情報のうちどちらであるかを認識するステップと、
記憶されていた生体が指静脈情報であったときには、前記生体情報照合部により、指静脈情報読取部により取得した指静脈情報と予め前記カードに記憶されていた指静脈情報との照合処理を実施するステップと、
記憶されていた生体が掌静脈情報であったときには、前記生体情報照合部により、掌静脈情報読取部により取得した掌静脈情報と予め前記カードに記憶されていた掌静脈情報との照合処理を実施するステップと、
いずれの生体情報も記憶されていなかった場合に、前記取引を中止するステップと、
前記照合結果が成功であれば前記取引を処理し、前記照合結果に関し予め定められた規定回数内で成功を得られなければ前記取引を中止するステップと、
を有する。
【請求項９】
利用者の操作に応じて取引を行う自動取引装置が実行する自動取引方法において、
利用者が希望する取引を選択入力するステップと、
カードの情報を読み取るステップと、
前記自動取引装置を利用する利用者の指静脈情報、または掌静脈情報を取得するステップと、
入力部により選択入力された取引が何であるかを認識するステップと、
カード読取部により読み取った前記カードに指静脈情報及び掌静脈情報が記憶されているかを判断するステップと、
指静脈情報及び掌静脈情報が記憶されていた場合に、さらに自動取引装置に指静脈情報読取部が備えられているかを判断するステップと、
指静脈情報読取部が備えられていたときは指静脈情報読取部により取得した指静脈情報と予め前記カードに記憶されていた指静脈情報との照合処理を実施するステップと、
指静脈情報読取部が備えられていなかったときはさらに自動取引装置に掌静脈情報読取部が備えられているかを判断するステップと、
掌静脈情報読取部が備えられていたときは掌静脈情報読取部により取得した掌静脈情報と予め前記記憶部に記憶されていた掌静脈情報との照合処理を実施するステップと、
掌静脈情報読取部が備えられていなかったときは前記取引を中止するステップと、
指静脈情報及び掌静脈情報のうちいずれか１つの生体情報が記憶されていた場合に、その生体情報は指静脈情報と掌静脈情報のうちどちらであるかを認識するステップと、
指静脈情報であったときにはさらに自動取引装置に指静脈情報読取部が備えられているかを判断するステップと、
指静脈情報読取部が備えられていたときは指静脈情報読取部により指静脈情報を読み取って指静脈情報を用いた認証処理を実施するステップと、
掌静脈情報読取部が備えられていたときは前記取引を中止するステップと、
掌静脈情報であったときにはさらに自動取引装置に掌静脈情報読取部が備えられているかを判断するステップと、
掌静脈情報読取部が備えられていたときは掌静脈情報読取部により掌静脈情報を読み取って掌静脈情報を用いた認証処理を実施するステップと、
指静脈情報読取部が備えられていたときは前記取引を中止するステップと、
いずれの生体情報も記憶されていなかった場合に、前記取引を中止するステップと、
前記照合結果が成功であれば前記取引を処理し、前記照合結果に関し予め定められた規定回数内で成功を得られなければ前記取引を中止するステップと、
を有する。
【請求項１０】
利用者の所望の取引を自動的に行う自動取引方法において、
自動取引装置が、
利用者が希望する取引を選択入力する入力するステップと、
カードの情報を読み取るステップと、
前記自動取引装置を利用する利用者の指静脈情報、または掌静脈情報を取得するステッ
プと、
入力部により選択入力された取引が何であるかを認識するステップと、
カード読取部により読み取った前記カードの情報に基づいて利用者が生体認証必須の利用者であるか否かを判断するステップと、
利用者が生体認証必須の対象者であることを検知して、暗証番号による認証処理を実施するステップと、
利用者が生体認証必須の対象者でなかったことを検知して、前記取引を中止するステップと、
前記認証処理が成功であれば前記取引を処理するステップと、
前記照合結果に関し予め定められた規定回数内で成功を得られなければ前記取引を中止するステップと、
を有する。